(57)【要約】      （修正有）【課題】訴える力があり診断に利用できる画像情報表示を医師にもたらす。【解決手段】検査範囲内に侵襲挿入されるべき医療器具の使用のもとに検査範囲の蛍光範囲の光励起によって蛍光画像の形で検査範囲の複数の２次元個別画像が撮影される。検査範囲の蛍光ボリューム画像の３次元再構成に適した３Ｄ蛍光画像データセットが作成され、他の検査モダリティにより取得され検査範囲の他のボリューム画像の３次元再構成に適した他の３Ｄ画像データセットが使用される。検査範囲における１つ又は複数の蛍光光学的に特徴のある重要範囲が、写像規則に基づいてモニタ上で、他のボリューム画像内に位置正確に表示され、３Ｄ蛍光画像データセット内において検査範囲における１つ又は複数の蛍光光学的に特徴のある重要範囲がその空間位置を求められ、これらの抽出された部分範囲のみが他のボリューム画像内に位置正確に表示される。【選択図】図１
2005169116.tif 000002
【特許請求の範囲】
【請求項１】
人間または動物の体内の共通な検査範囲に関係する画像情報である、第１の画像撮影装置により取得された第１の画像情報と第２の画像撮影装置により取得された第２の画像情報との融合された表示を行うための融合画像表示方法において、
検査範囲内に侵襲挿入されるべき医療器具の使用のもとに検査範囲の蛍光範囲の光励起によって蛍光画像の形で検査範囲の複数の２次元個別画像が撮影され、
２次元個別画像に基づいて検査範囲の蛍光ボリューム画像の３次元再構成に適した３Ｄ蛍光画像データセットが作成され、
他の検査モダリティにより取得され検査範囲の他のボリューム画像の３次元再構成に適した他の３Ｄ画像データセットが使用され、
３Ｄ蛍光画像データセットおよび他の３Ｄ画像データセットが登録され、
検査範囲における１つ又は複数の蛍光光学的に特徴のある重要範囲が、登録によって求められた写像規則に基づいてモニタ上で、他の３Ｄ画像データセットに基づいて作成された他のボリューム画像内に位置正確に表示され、
ａ）３Ｄ蛍光画像データセット内において検査範囲における１つ又は複数の蛍光光学的に特徴のある重要範囲がその空間位置を求められ、これらの抽出された部分範囲のみが他のボリューム画像内に位置正確に表示され、又は
ｂ）完全な蛍光ボリューム画像が他のボリューム画像に、予め与えられたグレー値を有するボクセルの消去のもとに重畳される
ことを特徴とする融合画像表示方法。
【請求項２】
個別画像のピクセルのグレー値またはボリューム画像のボクセルのグレー値に基づいて部分画像範囲の抽出が行われることを特徴とする請求項１記載の方法。
【請求項３】
蛍光個別画像の撮影と同時に、各個別画像に対して、各個別画像の空間位置を表す位置データが位置検出システムの座標系において検出されることを特徴とする請求項１又は２記載の方法。
【請求項４】
蛍光ボリューム画像が種々の個別画像内の一致する画像範囲に基づいて再構成され、他のボリューム画像と共に両ボリューム画像内に存在する解剖学的目印に基づいて登録が行なわれることを特徴とする請求項１又は２記載の方法。
【請求項５】
他のボリューム画像が、重要範囲が重ねられて表示される「エンドスコピック・ビュー」表示、ＭＰＲ画像表示、ＭＩＰ画像表示、ＳＳＤ画像表示またはＶＲＴ画像表示として再生されることを特徴とする請求項１乃至４の１つに記載の方法。
【請求項６】
使用者側で検査範囲の重要範囲が選択可能であり、この重要範囲を示す融合された画像がモニタに再生されることを特徴とする請求項１乃至５の１つに記載の方法。
【請求項７】
使用者は、モニタに表示され個々の重要範囲の位置データを含むテーブルに基づいて、表示すべき範囲を選択することができることを特徴とする請求項６記載の方法。
【請求項８】
個々の重要範囲の位置データは蛍光個別画像または蛍光ボリューム画像に基づいて自動的に求められ、テーブル内に書き込まれることを特徴とする請求項７記載の方法。
【請求項９】
使用者がテーブル内の位置データへ１つ又は複数の書き込みができることを特徴とする請求項８記載の方法。
【請求項１０】
使用者はモニタに表示された融合されたボリューム画像内で移動可能なマーキングを介して重要範囲を選択することができ、重要範囲が変化された表示で再生されることを特徴とする請求項６記載の方法。
【発明の詳細な説明】
【技術分野】
【０００１】
本発明は、人間または動物の体内の、特に管腔器官の共通検査範囲に関係する画像情報である、第１の画像撮影装置により取得された第１の画像情報と第２の画像撮影装置により取得された第２の画像情報との融合された表示を行うための融合画像表示方法に関する。
【背景技術】
【０００２】
バイオテクノロジーから蛍光代謝物質が知られている。蛍光代謝物質は、もっぱら、例えば腫瘍、炎症あるいは他の特定病巣の如き特定領域に蓄積され、つまり局所的に存在するか、又は体内の至るところに分布するが、しかし特別に特定領域のみで例えば腫瘍特有の酵素活動性によって蛍光特性を活性化される。蛍光特性に基づいて、これらの物質はマーカ又はマーキング物質として、特定の領域、例えば既に異常である領域をマークするためにもしくは検出できるようにするために利用される。このようにして蛍光的にマークされた領域の識別は、蛍光色素の特別の励起波長の光を当該領域に照射し蛍光体の相応の波長の放出光を検出することによって行なわれる。この検査方法の可能な適用範囲は、光の侵入深さの範囲内にあって蛍光物質の蓄積に敏感である癌、炎症経過または他の病気を発生するあらゆる表面近くの器官である。有利な適用は例えば前立腺、腸、食堂、気管支あるいは血管の検査である。
【０００３】
このような蛍光マーキングの診断情報内容を満足に利用できるようにするためには、マーキングを最小非侵襲で現場にて検出できることが必要であった。しかし、取得された画像情報に基づいて医師が正確な診断を行なうことができるようにするために、訴える力のあるように医師に画像情報を表示できることも必要である。
【発明の開示】
【発明が解決しようとする課題】
【０００４】
本発明の課題は、訴える力があり診断に利用できる画像情報表示を医師にもたらす方法を提供することにある。
【課題を解決するための手段】
【０００５】
この課題は、本発明によれば、冒頭で述べた方法において、
検査範囲内に侵襲挿入されるべき医療器具の使用のもとに検査範囲の蛍光範囲の光励起によって蛍光画像の形で検査範囲の複数の２次元個別画像が撮影され、
２次元個別画像に基づいて検査範囲の蛍光ボリューム画像の３次元再構成に適した３Ｄ蛍光画像データセットが作成され、
他の検査モダリティにより取得され検査範囲の他のボリューム画像の３次元再構成に適した他の３Ｄ画像データセットが使用され、
３Ｄ蛍光画像データセットおよび他の３Ｄ画像データセットが登録され、
検査範囲における１つ又は複数の蛍光光学的に特徴のある重要範囲が、登録によって求められた写像規則に基づいてモニタ上で、他の３Ｄ画像データセットに基づいて作成された他のボリューム画像内に位置正確に表示され、
ａ）３Ｄ蛍光画像データセット内において検査範囲における１つ又は複数の蛍光光学的に特徴のある重要範囲がその空間位置を求められ、これらの抽出された部分範囲のみが他のボリューム画像内に位置正確に表示され、又は
ｂ）完全な蛍光ボリューム画像が他のボリューム画像に、予め与えられたグレー値を有するボクセルの消去のもとに重畳される
ことによって解決される。
【０００６】
本発明によれば、２つの３次元画像データセットの融合、つまり、一方では蛍光画像データセットと、他方では他の検査モダリティ（例えば磁気共鳴装置、コンピュータ断層撮影装置、超音波装置あるいはＸ線装置）により撮影され同じ検査領域を示すボリュームデータセットとの融合が行なわれる。これは、蛍光ボリューム画像内において蛍光光学的検査を介して取得された蛍光光学的に特徴のある範囲を、検査範囲の３次元表示内に位置正しく表示することができる可能性を提供する。医師は、それにより一方では検査領域における蛍光光学的に特徴のある（場合によっては既に病気の）個所についての情報を得るとともに、他方では融合に基づいて検査領域の解剖学的構造と特徴のある範囲に関する解剖学的関係とについての情報も得る。この組み合わせの画像表示に基づいて、医師にとっては、明らかに改善された診断および検査領域内に蛍光的にマークされた領域の位置決めが可能であり、診断は著しく正確で訴える力をもって行なわれる。
【０００７】
本方法の枠内において、まず検査範囲（例えば管腔器官）の多数の２次元画像が、医療器具（例えばカテーテル、内視鏡、腹腔鏡または直腸鏡）の使用のもとで器具の連続的に制御された運動から得られるので、これらの個別画像は３次元の蛍光データセットにまとめることができる。このデータセットは今や蛍光光学的に特徴のある範囲（この範囲は以下において蛍光病巣とも呼ばれる）に関する情報も得る。次に、この蛍光データセットは、例えばＭＲ装置によって取得され同一の検査領域の高分解能３次元解剖学的画像データを含んでいる３Ｄデータセットと共に登録される。この登録は、蛍光データセットや他の３Ｄデータセットの基礎をなしている２次元個別画像の各ピクセル、もしくは再構成されたボリュームの各ボクセルを互いに写像することを可能にする写像規則を求めるために役立つ。用語「登録」は、ディジタル画像処理の分野においては十分に知られており詳しく定義される必要はない。従って、写像規則が求められた後、３Ｄ蛍光ボリューム画像の各ボクセルは磁気共鳴（ＭＲ）撮影の３Ｄボリューム画像内の対応するボクセルに写像することができる。しかしながら、これは、蛍光ボリューム画像もしくはその基礎をなしているデータセットを、ＭＲ画像もしくはその基礎をなしているデータセットに融合させ、モニタ上に共通な融合画像を表示することを可能にする。ＭＲ画像は高分解能にて３次元で非常に正確に検査範囲の解剖学的構造を表示するので（同じことがＣＴ画像または３Ｄアンギオ画像、３Ｄ超音波画像にも当てはまる。）、好ましいことに、医師は融合された表示を観察して、蛍光光学的にマークされた領域に関する解剖学的な重要情報と同様に、検査範囲における解剖学的な事実に関する非常に正確な情報を得ることが可能である。それにより、重要範囲の極めて正確な識別および位置決めが可能である。
【０００８】
検査領域内へ侵襲挿入されねばならない医療器具の使用は、特別な利点をもって、直接に現場ですなわち検査範囲自体内で光励起を可能にする。例えば血管（例えば心臓内部の血管）が検査される場合にはカテーテルが使用され、腸が検査される場合には直腸鏡が使用される。いずれの場合にも、それぞれの器具は、励起光を現場で出射し、蛍光に基づいて放出された応答光を現場で受光することができる。この応答光は、特別にこのために患者に与えた代謝標識であってもよく、あるいは体自身の所定の病巣等によって蛍光特性を活性化された物質の光であってもよい。
【０００９】
蛍光に基づく画像撮影は励起に基づいて放出された応答光を検出することを基礎とするので（応答光は蛍光物質が蓄積している範囲のみから放出される）、撮影された蛍光個別画像は応答光が放出されたところに明るい範囲を示し、応答光放出が行なわれなかった残りの範囲は暗い。蛍光光学的に重要な範囲を表示できるようにするために、本発明の実施態様によれば、３Ｄ蛍光画像データセット内において検査範囲における１つ又は複数の蛍光光学的に特徴のある重要範囲の空間位置が求められ、この重要範囲のみが他のボリューム画像内に位置正確に表示される。従って、データセット全体から蛍光光学的に特徴のある明るい範囲の抽出が行なわれ、これらの抽出された部分画像情報のみが融合画像内に表示される。この場合に、抽出された部分データだけを他の３Ｄデータセットに融合させる可能性、または両方の完全なデータセットを融合させて、ただし本来の融合画像表示の枠内で上述の抽出を行なう可能性が存在する。重要範囲の検出は、個別画像のピクセルのグレー値またはボリューム画像のボクセルのグレー値に基づいて行なうとよい。上述の抽出の代替として、完全な蛍光ボリューム画像を、場合によっては予め与えられたグレー値を有するボクセルを消去して、他のボリューム画像に重畳することができる。既述のように応答光が放出されない蛍光ボリューム画像内の黒色範囲に基づいて融合画像内での画像表示が阻害されることを避けるために、例えば蛍光ボリューム画像の黒色ボリューム範囲がいわば消去されるとよく、それは簡単に局所的なグレー値に基づいて検出可能である。
【００１０】
一方ではボリューム再構成を行ない、他方では他の３Ｄデータセットと共に登録を行なうために、蛍光個別画像の撮影と同時に、各個別画像に対して、各個別画像の空間位置を表す位置データが位置検出システムの座標系において検出されると望ましい。このために、挿入される医療器具（例えばカテーテル）におけるセンサと協働する外部の位置検出システムが使用される。このセンサは、とりわけ６つの自由度、すなわち３つの空間軸ｘ，ｙ，ｚおよびこれらの軸の周りの回転における運動検出を可能にする。このような位置検出システムは公知であり、これは主として運動および位置検出のための電磁コイルおよび信号を用いる。他の３Ｄデータセットにも各個別画像の位置が正確に規定されている専用の座標系が基礎になっているので、登録およびそれにともなう２つの個々の座標系に関する写像規則を求めることができる。
【００１１】
これに対する代替として、蛍光ボリューム画像を種々の個別画像内の一致する画像範囲に基づいて再構成し、他のボリューム画像と共に両ボリューム画像内に存在する解剖学的目印に基づいて登録を行なうことができる。
【００１２】
この場合には位置データの収集は行なわれず、むしろ蛍光ボリューム画像の再構成が時間的に前後して撮影された個別画像の一致する画像部分の検出によって行なわれ、その後これらの個別画像が検出された一致性に基づいて互いに組み合わされて再構成される。蛍光ボリューム画像および他のボリューム画像が同一の検査領域を示すので、両者において同一の解剖学的目印が存在する。これらの解剖学的目印に基づいて登録が行なわれる。蛍光ボリューム画像内においてこれらの解剖学的目印が実際に見えることが前提とされ、これはこれらの範囲内に蛍光性マーカの蓄積を前提とする。これは第一に自然の蛍光の場合である。いずれの場合にもこのようにして、例えばＭＲボリューム画像内への蛍光病巣の挿入を可能にする写像規則を求めることができる。この点に関しては、もちろん、ボリューム画像を作成するデータセットがそれぞれ互いに登録され、ボリューム画像自体が登録されるのではないことを指摘しておく。
【００１３】
融合されたボリューム画像の表示に関しては、種々の表示様式が考えられる。結局、その都度の表示は、重要範囲が重畳される他のボリューム画像、例えばＭＲ画像またはＣＴ画像がどのような形で表示されるかに関係する。他のボリューム画像は重要範囲が挿入される「エンドスコピック・ビュー（Ｅｎｄｏｓｃｏｐｉｃ−Ｖｉｅｗ）」表示として可視化することができる。「フライスルー（Ｆｌｙ  Ｔｈｒｏｕｇｈ）」表示とも呼ばれるこのような可視化は、とりわけ管腔器官および血管の内部の可視化に適している。蛍光病巣は、例えば血管内の炎症経過を可視化するために、擬似カラーコード化されたホットスポットとして、同じ様な撮影様式の解剖学的な他の３Ｄデータセットの「エンドスコピック・ビュー」表示中に挿入される。
【００１４】
そのほかには、他のボリューム画像をＭＰＲ表示（ＭＰＲ＝ｍｕｌｔｉ  ｐｌａｎａｒ  ｒｅｆｏｒｍａｔｉｏｎ、多断面変換表示）として表示することができる。この場合にも、ＭＰＲ表示で可視化され蛍光病巣を取り巻く解剖部を表示するために、蛍光病巣が擬似カラーコード化されたホットスポットとして挿入される。
【００１５】
更に、他のボリューム画像をＭＩＰ表示（ＭＩＰ＝ｍａｘｉｍｕｍ  ｉｎｔｅｓｉｔｙ  ｐｒｏｊｅｃｔｉｏｎ、最大値投影表示）として可視化することができる。この場合にも、蛍光病巣が擬似カラーコード化されたホットスポットとして挿入される。ＭＩＰ表示は造影剤強調された対象、例えば血管の可視化に好適である。
【００１６】
更に、他のボリューム画像をＳＤＤ表示（ＳＳＤ＝ｓｕｒｆａｃｅ  ｓｈａｄｅｄ  ｄｉｓｐｌａｕｙ、表面表示）として可視化することができる。この場合にも、蛍光病巣が擬似カラーコード化されたホットスポットとして挿入される。
【００１７】
更に、他のボリューム画像をＶＲＴ表示（ＶＲＴ＝ｖｏｌｕｍｅ  ｒｅｎｄｅｒｉｎｇ  ｔｅｃｈｎｉｑｕｅ、ボリュームレンダウング）として可視化することができる。この場合にも、蛍光病巣が擬似カラーコード化されたホットスポットとして挿入される。ＶＲＴ可視化の暗度は、伝達関数により他のボリュームのＶＲＴ可視化の表示ボクセルが蛍光病巣に対して相対的に低い暗度を持つように変化させられるとよい。これによって、「透けて見えるような」解剖学的構造内に擬似カラーコード化された蛍光病巣が良好に見えるようにすることができる。
【００１８】
上述の表示可能性は完結的に列挙したものではなく、本発明は上述の可能性に限定されない。
【００１９】
更に、前述の検査モダリティを用いていわば任意に大きい検査範囲を撮影することができるので、使用者のためには、簡単且つ迅速に検査ボリューム内の特定の関心領域が表示されると望ましい。これを可能にするために、本発明の実施態様によれば、使用者側で検査範囲の重要範囲が選択可能であり、この重要範囲を示す融合された画像表示がモニタに再生される。このようにして、使用者を画像表示内で誘導案内することができるので、融合されたデータ内で１つ又は複数の蛍光病巣の簡単且つ迅速な発見が可能である。
【００２０】
この可能性の第１の実施態様において、使用者は、モニタに表示され全検査範囲内における個々の重要範囲の位置データを含むテーブルに基づいて、表示すべき範囲を選択することができる。テーブルにおいて位置データをテーブル側で検出された範囲の簡単な選択によって、本発明のこの実施態様によれば、選択およびそれにともなう変更された表示が行なわれる。個々の重要範囲の位置データは蛍光個別画像または蛍光ボリューム画像に基づいて自動的に求められ、テーブル内に書き込まれる。すなわち、位置データは自動的に既存の画像データから抽出される。これは、個別画像に対して対応する位置データが取得される場合には、例えば既に最初に説明した範囲抽出の枠内で行なわれる。テーブルのリストにおいて個々の抽出された範囲が例えば番号を備えているので、使用者は完全に的確に範囲を次々と「ぱらぱらめくる」ようにして表示を相応に変化させることができる。
【００２１】
使用者がテーブル内の位置データへ１つ又は複数の書き込みができると望ましい。従って、使用者は個々の書き込みに付加的な情報を持たせることができ、これは、例えば特に危機的である特定の解剖学的な個所における「傷つきやすいプラーク」とか、使用者に選択の枠内において助けになり得る追加される任意の所見である。
【００２２】
テーブルを介する選択に対する代替として、画像変更は、使用者がモニタに表示された融合ボリューム画像内で移動可能なマーキングを介して重要範囲を選択することができ、重要範囲が変化された表示で再生されることによって行なわれる。マーキング、例えばカーソルを介して、使用者が例えば示された重要範囲上で「クリック」し、それに基づいてこの重要範囲もしくは融合されたボリューム画像が相応に拡大されるか、または選択範囲をもっとはっきり示すようにさらに変更されて表示される。他のボリューム画像のどの可視化様式が選択されるかに応じて、選択もしくは表示の様式が異なる。ＭＩＰ表示の場合、ボリューム画像データセットは深さ情報を持たない。それゆえ、この表示様式では断層画像が使用されず、全データセットから定められた輝度を持つボクセルだけが表示される。ＭＩＰ表示は十分に透明であり、「アクアリウム表示（水槽表示）」とも呼ばれる。正しい表示平面内に所望の範囲を正確に示すことができるようにするために、この場合にはモニタに、とりわけ互いに垂直な２つの方向からの検査範囲を示す２つのＭＩＰ表示が再生される。選択すべき重要範囲が２つの表示で見えるので、使用者はこれらの両ＭＩＰ表示上で「クリック」しなければならない。クリックに基づいてボリュームデータセット内の選択された蛍光病巣の３Ｄ位置が選択され、相応に変化された表示が示される。
【００２３】
ＭＰＲ表示、ＳＳＤ表示およびＶＲＴ表示のそれぞれの基礎をなしているのは断層画像であり、表示は深さ情報も含んでいる。所望の病巣を直接に融合された表示内で選択し、その病巣へ「ジャンプ」することが可能である。
【発明を実施するための最良の形態】
【００２４】
本発明の他の利点、特徴および詳細は図面に基づいて次に説明する実施例からもたらされる。
【００２５】
図１には概略的な形で流れ図が示され、流れ図から基本的な方法経過を引き出すことができる。
【００２６】
図示の例では、まず医療器具１、例えばカテーテルを介して、多数の２Ｄ蛍光個別画像が撮影される。このために、カテーテルは制御されて、例えば管腔器官を通して移動される。カテーテルは、励起光を出射して蛍光物質に応答光を放出させこの応答光を受光するための組み込み手段を持つ。このためにカテーテルはここでは詳細に図示されていない適当な光源もしくは処理装置に接続されている。
【００２７】
個別画像の撮影に並行して各個別画像に対する位置データが検出される。位置データは詳しく示されていない位置データ検出システムの座標系においてどの位置でそれぞれの個別画像が撮影されたかを示す。
【００２８】
次に、撮影された２Ｄ蛍光個別画像に基づいて３Ｄ蛍光画像データセットが求められる。これは、撮影される限り個別画像の位置データを使用して行なわれるが、代替として、一致している画像部分に基づいて個別画像を互いに結合することもできる。
【００２９】
外部の検査モダリティ２、図示の実施例では磁気共鳴装置を介して、以前の時点で同一の検査領域に関する画像情報が取得され、これに基づいて３Ｄ磁気共鳴（ＭＲ）画像データセットが作成された。この３Ｄ磁気共鳴画像データセットは、全ての画像データ処理を行なうここに詳しく示されていない処理装置に与えられる。次のステップにおいて、３Ｄ蛍光画像データセットおよび３Ｄ磁気共鳴画像データセットが写像規則、すなわち「３Ｄ蛍光画像データセットもしくは３Ｄ磁気共鳴画像データセットから再構成できるそれぞれのボリューム画像の各ボクセルをそれぞれの他方のボリューム画像上に写像することを可能にする写像規則」を求めるために登録される。従って、登録が行なわれた後、それぞれのボリューム画像もしくは対応するデータのボクセルを写像規則に従って直接に互いに割り付けることができる。
【００３０】
次のステップにおいて、詳しくは示されていないモニタに融合画像を表示することを可能にする写像規則に基づいて両３Ｄ画像データセットの融合が行なわれる。この融合画像には、蛍光光学的なカテーテル検査からもたらされるような蛍光光学的に特徴のある重要範囲が、ＭＲ検査から得られた正確な高分解能表示された解剖学的構造と一緒に表示される。
【００３１】
ＭＲボリューム画像の表示の種類に関しては種々の表示方式を考えることができ、これらは既に詳しく説明した。
【００３２】
更に、本発明による方法の中心的関心事は、蛍光光学的に特徴のある、場合によっては病気の範囲をその実際の解剖部周辺に正確に表示することにあり、この範囲を磁気共鳴画像に挿入する種々の可能性が考えられ得る。一方では、融合された３Ｄデータセットから、３Ｄ蛍光画像データセット内に含まれているこの範囲を抽出し、この範囲だけを重ねて表示可能である。これに対する代替として、蛍光ボリューム画像全体を重ねるが、しかし例えば、蛍光ボリューム内で何の応答光も放出しない本来の黒色範囲が消去されるように、特定のグレー値を有するか又は或るグレー値を上回るかあるいは下回るボクセルを消去することが考えられる。
【００３３】
更に、使用者が表示された融合画像において変更を行なうこと、特に使用者が任意の重要範囲へジャンプすることができる。すなわち、表示された融合画像内の重要範囲の迅速な発見および再発見が可能であり、これは、使用者が適当なマーキング、例えばモニタカーソルを介して融合画像内の特定の重要範囲を選択できることによって実現され、それに基づいてその重要範囲が拡大表示され、あるいはモニタ等の中央に表示される。
【００３４】
この代替として、モニタに表示されたテーブルに基づいて範囲選択を行なうことも考え得る。このために、個々の重要範囲の位置データを含むテーブルが自動的に作成される。テーブルの作成に関しては、使用者が例えば表示された重要範囲上をモニタカーソルにより「クリック」し、このクリックに基づいて自動的に対応する位置データが決定されてテーブル内に書き込まれるようにすることによって、使用者自身がこのテーブルを作成することができる。更に、図示されているように、初めから、３Ｄ蛍光画像データセットの作成後に重要範囲の位置データの抽出を行い、この位置データをテーブル内に自動的に書き込むことでができる。データの抽出は、位置データ検出が与えられる場合、重要範囲を容易にボリュームデータセット内のグレー値分布に基づいて求めることができるから比較的簡単である。
【００３５】
適切な選択のために、使用者はテーブル内の特定範囲を選択するだけでよく、これに基づいて自動的にボリューム画像の相応の変化が行なわれる。
【図面の簡単な説明】
【００３６】
【図１】本発明による方法の実施例の経過を概略的に示す流れ図
【符号の説明】
【００３７】
１        医療器具
２        検査モダリティ
【図１】
2005169116.tif 000003